(57)【要約】【課題】装置への取り付け時に、別途、接着剤の塗布等の防水処理をすることなく、防水性を確保することができる接地端子を提供する。【解決手段】接地端子部品１０２は、装置の筐体に形成された貫通孔に装置外部から挿入され、装置内部のアース線が接続される軸部２０１と、装置外部に配置され、装置外部のアース線が接続される頭部２０２とを備える。そして、頭部２０２の筐体に接する面に溝部が形成されており、当該溝部には、防水用部材（例えば、Ｏリング）２０４が嵌め込まれる。また、頭部２０２の溝部が形成された面の反対側の面には、装置外部のアース線取付用のネジ穴２０３が形成される。【選択図】図２
2006172905.tif 000002
【特許請求の範囲】
【請求項１】
装置の筐体に形成された貫通孔に装置外部から挿入され、装置内部のアース線が接続される軸部と、
装置外部に配置され、装置外部のアース線が接続され、前記頭部の筐体に接する面に、防水用部材が嵌め込まれる溝部が形成されている頭部と
とを有する接地端子。
【発明の詳細な説明】
【技術分野】
【０００１】
本発明は、通信機器や電子機器等を接地するための接地（ＧＮＤ）端子に関する。
【背景技術】
【０００２】
通信機器や電子機器等の装置では、装置と大地とをアース線を用いて接続するのが一般的である。これは、装置がアース線で接地されていないと、人間がその装置に触れた瞬間に、機器に蓄積された電圧が直接人体に流れ、感電する恐れがあるためである。
【０００３】
また、人体に及ぼす影響以外にも、装置が接地されていないと、装置内部で共通のＧＮＤ（アース）が確保できず、機器内部の電気信号が不安定となり、装置が誤動作する恐れもある。また、ＲＦ系の信号増幅器を使用している場合も、ＧＮＤの確保が重要とされる。
【０００４】
このような背景のもと、一般に、通信機器や電子機器等の装置では、装置を接地するための接地端子が設けられている。
【０００５】
一方、通信機器や電子機器等の装置の中には、屋外やトンネル内に設置されるものがある。かかる装置については、通常、雨水や高湿度（トンネル内の湿度は非常に高い）に対する対策が必要になる。
【０００６】
図３及び図４は、防水仕様の装置における従来の接地端子の構造を示す図である。
【０００７】
図３は、装置の筐体が板金構造の場合の従来の接地端子の構造を示す図であり、同図（ａ）は、側面図を示し、同図（ｂ）は、正面図を示す。
【０００８】
同図に示すように、接地端子３００においては、筐体側面３０１に形成された貫通孔に、装置内部から六角ボルト３０２が挿入され、筐体外部へ突き出た六角ボルト３０２の軸部（ネジ部）に、ナット３０３ａ及びワッシャ類３０４ａが嵌められて固定される。更に、固定された六角ボルト３０２の軸部に、アース線３０５が、ナット３０３ｂ及びワッシャ類３０４ｂで固定され接続される。
【０００９】
接地端子３００においては、筐体側面３０１に六角ボルト３０２を通す貫通孔があけられるので、装置の防水性を確保するために、装置内部のボルト挿入部分には、エポキシ系接着剤等が塗布される。つまり、ボルトを挿入してから後工程で接着剤等を塗布する必要がある。
【００１０】
図４は、装置の筐体がアルミダイカスト構造の場合の従来の接地端子の構造を示す図であり、同図（ａ）は、側面図を示し、同図（ｂ）は、正面図を示す。
【００１１】
装置の筐体がアルミダイカスト等で製作される場合は、筐体側面の肉厚を厚くとることができる。そこで、同図に示すように、接地端子４００においては、筐体側面４０１の外側に、外側から内側へ貫通しないネジ穴を形成し、アース線固定用ネジ４０６によって、アース線４０５を筐体側面４０１に固定する。
【００１２】
この場合、筐体を貫通する孔が存在しないので、図３の構造と比較して高い防水性を確保することができる。しかしながら、装置内部のＧＮＤと装置外部のＧＮＤとを直接的に接続できる構造ではないので、一度筐体の側面（アルミダイカストの肉厚）を通電させて、内部と電気的に接続させることになる。よって、内部と外部とでインピーダンスの不整合が生じる恐れがある。
【００１３】
上述したように、防水仕様の装置において、筐体側面が薄い構造（例えば、板金構造）を採用した場合は、装置内部からボルトを通して外部へ出す接地端子構造が必要とされるため、接地端子を取り付け後、貫通孔の部分に防水処理を別途施さなければならなかった。一方、防水仕様の装置において、筐体側面が厚い構造（例えば、アルミダイカスト構造）を採用した場合は、装置内部のＧＮＤと装置外部のＧＮＤとを直接的に接続することができないため、内部と外部とでインピーダンスの不整合が生じる恐れがあった。
【００１４】
なお、特開平１０−２８５０９５号公報には、移動通信における中継増幅装置の子局（移動局向けのアンテナ付き増幅装置）をトンネル内に設けることが開示されている。例えば、本発明は、当該子局に適用することができる。また、特開２００４−６３７８５号公報及び特開２００４−９２３０８号公報には、電子機器等を収容する筐体の防水構造の例が開示されている。
【特許文献１】特開平１０−２８５０９５号公報
【特許文献２】特開２００４−６３７８５号公報
【特許文献３】特開２００４−９２３０８号公報
【発明の開示】
【発明が解決しようとする課題】
【００１５】
本発明の目的は、装置への取り付け時に、別途、接着剤の塗布等の防水処理をすることなく、防水性を確保することができる接地端子を提供することにある。
【課題を解決するための手段】
【００１６】
本発明に係る接地端子は、装置の筐体に形成された貫通孔に装置外部から挿入され、装置内部のアース線が接続される軸部と、装置外部に配置され、装置外部のアース線が接続される頭部とを備え、前記頭部の筐体に接する面に、防水用部材（例えば、Ｏリング）が嵌め込まれる溝部が形成されていることを特徴とする。
【００１７】
この場合において、前記頭部に、装置外部のアース線取付用のネジ穴を形成するようにしてもよい。
【発明の効果】
【００１８】
本発明によれば、装置への取り付け時に、別途、防水処理をすることなく、防水性を確保することができる接地端子が提供される。
【発明を実施するための最良の形態】
【００１９】
以下、本発明の実施の形態について、図面を参照しつつ詳細に説明する。
【００２０】
図１は、本発明による接地端子の全体構造を示す図である。本発明による接地端子は、防水仕様の装置に適用されるものである。
【００２１】
同図に示すように、本発明による接地端子１００においては、板金構造の筐体の側面１０１に形成された貫通孔に、接地端子部品１０２が、筐体外側から嵌め込まれ、筐体内部に突き出た接地端子部品１０２の軸部（ネジ部）に、ナット１０３ａ及びワッシャ類１０４ａが嵌められて固定される。更に、装置内部において、固定された接地端子部品１０２の軸部に、装置内部アース線１０７が、ナット１０３ｂ及びワッシャ類１０４ｂで固定され接続される。装置内部アース線１０７は、装置内部の電子部品（例えば基板等）に直接接続される。また、装置外部において、接地端子部品１０２の頭部（ナット形状部）に、アース線１０５がアース線固定用ネジ１０６で固定され接続される。
【００２２】
図２は、接地端子部品１０２の構造を示す図であり、同図（ａ）は、正面図を示し、同図（ｂ）は、右側面図を示し、同図（ｃ）は、断面図を示す。
【００２３】
同図に示すように、接地端子部品１０２は、六角ボルト状の形状を有しており、軸部２０１と頭部２０２とを有する。
【００２４】
軸部２０１は、装置の筐体に形成された貫通孔に挿入される部分であり、ナット１０３ａ，１０３ｂを嵌め合わせることができるようネジ山が形成されている。
【００２５】
頭部２０２は、装置の外側に配置される部分であり、スパナ等の工具によって簡単に締め付けることができる形状、具体的には、概ね六角柱の形状を有している。
【００２６】
また、頭部２０２の装置に接する面には、軸部２０１の付け根部分を囲うように、断面が矩形の環状溝が形成されており、当該環状溝には、断面が円形の環状の防水用パッキン（Ｏリング）２０４が嵌め込まれている。接地端子部品１０２は、防水用パッキン（Ｏリング）２０４を備えているので、装置の外側から嵌め込むだけで装置の防水性を確保できる。
【００２７】
また、頭部２０２の環状溝が形成された面の反対側の面には、アース線取付用のネジ穴２０３が形成されている。ネジ穴２０３にアース線固定用ネジ１０６をねじ込むことで、アース線１０５を固定することができる。
【００２８】
このような構造を有する接地端子部品１０２によれば、装置の筐体に外側から嵌め込むだけで、防水用パッキン２０４により防水性を確保できるので、内部にエポキシ系接着剤等での補強が必要とされず、取り付け作業が簡単になる。
【００２９】
また、装置内部のＧＮＤと装置外部のＧＮＤとが、接地端子部品１０２一個を通して直接接続されて通電されるため、装置内部と外部とのインピーダンス整合が取れやすく、共通のＧＮＤ確保が可能となる。
【００３０】
また、頭部２０２には、アース線固定用ネジ１０６をねじ込むことができるネジ穴２０３が形成されているので、接地用のアース線１０５を簡単に取り付けることができる。
【図面の簡単な説明】
【００３１】
【図１】本発明による接地端子の全体構造を示す図である。
【図２】接地端子部品の構造を示す図である。
【図３】装置の筐体が板金構造の場合の従来の接地端子の構造を示す図である。
【図４】装置の筐体がアルミダイカスト構造の場合の従来の接地端子の構造を示す図である。
【符号の説明】
【００３２】
１００・・・接地端子、
１０１・・・筐体側面、
１０２・・・接地端子部品、
１０３ａ，１０３ｂ・・・ナット、
１０４ａ，１０４ｂ・・・ワッシャ類、
１０５・・・アース線、
１０６・・・アース線固定用ネジ、
１０７・・・装置内部アース線、
２０１・・・軸部、
２０２・・・頭部、
２０３・・・ネジ穴、
２０４・・・防水用パッキン、
３００・・・接地端子、
３０１・・・筐体側面、
３０２・・・六角ボルト、
３０３ａ，３０３ｂ・・・ナット、
３０４ａ，３０４ｂ・・・ワッシャ類、
３０５・・・アース線、
４００・・・接地端子、
４０１・・・筐体側面、
４０５・・・アース線、
４０６・・・アース線固定用ネジ、
【図１】
2006172905.tif 000003
【図２】
2006172905.tif 000004
【図３】
2006172905.tif 000005
【図４】
2006172905.tif 000006